(57)【要約】【課題】特定用途向けの操作環境を維持することができる操作装置の提供。【解決手段】タブレット端末の制御部は、ホームボタンの押下操作に対応する入力を受付けた場合（Ｓ１３：ＹＥＳ）、ディスプレイに該当するホーム画面を表示すると共に（Ｓ１４）、表示時間の計時を開始する（Ｓ１５）。そのホーム画面にてアプリケーションが起動された場合、又は他のホーム画面への切替えが行われた場合、ホーム画面の表示を終了したと判断し（Ｓ１６：ＹＥＳ）、表示時間の計時を終了する（Ｓ１７）。制御部は、ホーム画面の表示時間を積算し、積算時間を記録する（Ｓ１８）。そして、各ホーム画面の表示積算時間に基づき、サスペンド状態からの復帰時に表示すべきホーム画面を選択する（Ｓ１９）。【選択図】図９
2013186810.tif 000002
【特許請求の範囲】
【請求項１】
複数の操作画面の夫々を表示可能になしてあり、任意の操作画面を表示している場合に特定操作を受付けたとき、前記操作画面から他の操作画面へ遷移させる操作装置において、
操作画面を表示しない省電力状態から表示した操作画面より操作を受付ける動作状態への切替操作を受付ける受付手段と、
前記切替操作を受付けた場合、予め設定した操作画面を表示する画面制御手段と
を備えることを特徴とする操作装置。
【請求項２】
各操作画面の表示履歴に係る履歴情報を記憶する記憶手段と、
該記憶手段に記憶された履歴情報に基づき、前記複数の操作画面のうち一の操作画面を選択する選択手段と
を備え、
前記画面制御手段は、前記切替操作を受付けた場合、前記選択手段が選択した操作画面を表示するようにしてあることを特徴とする請求項１に記載の操作装置。
【請求項３】
各操作画面の表示時間を積算する手段を備え、
前記履歴情報として、各操作画面の表示時間の積算値を前記記憶手段に記憶するようにしてあり、
前記選択手段は、各操作画面の表示時間の積算値の大小に基づき、前記複数の操作画面から一の操作画面を選択するようにしてあることを特徴とする請求項２に記載の操作装置。
【請求項４】
各操作画面の表示回数を計数する手段を備え、
前記履歴情報として、計数した各操作画面の表示回数を前記記憶手段に記憶するようにしてあり、
前記選択手段は、各操作画面の表示回数の多少に基づき、前記複数の操作画面から一の操作画面を選択するようにしてあることを特徴とする請求項２に記載の操作装置。
【請求項５】
各操作画面における操作頻度を計数する手段を備え、
前記履歴情報として、計数した各操作画面における操作頻度を前記記憶手段に記憶するようにしてあり、
前記選択手段は、各操作画面における操作頻度の多少に基づき、前記複数の操作画面から一の操作画面を選択するようにしてあることを特徴とする請求項２に記載の操作装置。
【請求項６】
表示すべき操作画面を予め設定している場合であって、前記切替操作を受付けたとき、前記画面制御手段は、予め設定した操作画面を表示し、
表示すべき操作画面を予め設定していない場合であって、前記切替操作を受付けたとき、前記画面制御手段は、前記選択手段が選択した操作画面を表示するようにしてあることを特徴とする請求項２から請求項５の何れか１つに記載の操作装置。
【請求項７】
１又は複数のアプリケーションプログラムを記憶する手段と、
前記画面制御手段が操作画面を表示した後、所定のアプリケーションプログラムを起動する手段と
を備えることを特徴とする請求項１から請求項６の何れか１つに記載の操作装置。
【発明の詳細な説明】
【技術分野】
【０００１】
本発明は、特定用途向けの操作環境を維持する操作装置に関する。
【背景技術】
【０００２】
従来の端末装置には、所定時間の放置やユーザ操作により、省電力の動作モード（サスペンド状態）に移行し、その状態でユーザ操作を受付けた場合、元の動作状態に復帰（レジューム）するものが知られている。このように動作状態の制御を行うことにより、端末装置が使用されない場合には節電して電力消費を抑え、使用時には直ぐに使用を再開できるようにしている（例えば、特許文献１を参照）。
【０００３】
また、特定用途に適したアプリケーションやユーザインタフェースを用意して、装置にプリインストールした端末装置が知られている。このような端末装置は、初めて利用するようなユーザでも操作を習熟し易いように、ユーザインタフェースのデザインや機能が設計され、特定用途向けアプリケーションが素早く起動されるように構成されている。
【先行技術文献】
【特許文献】
【０００４】
【特許文献１】特開平７−６４７５９号公報
【発明の概要】
【発明が解決しようとする課題】
【０００５】
上述したような、特定用途に適した端末であっても、ウェブブラウザ、メール、ゲーム、その他各種ユーティリティ等の汎用のアプリケーションを、利用するシーンに応じて、直ぐに利用できるようにしたいというユーザの要望が存在していた。
特定用途に適したアプリケーションやユーザインタフェースが予め組み込まれた端末装置では、様々なアプリケーションやインタフェースを配置するための表示領域を確保することは困難である。このため、例えば、用途に応じてアプリケーションを適切に分類・配置したホーム画面を複数用意し、それらを切替えることでユーザが使用しようとするアプリケーションに速やかにアクセスすることができるように構成する必要があった。
【０００６】
しかしながら、ユーザ操作によってホーム画面を切換える構成では、特定用途向けのホーム画面から別のホーム画面に切換え、そのままサスペンド状態へ移行した場合、サスペンド状態からの復帰時には、一般的に別のホーム画面へ遷移するため、本来の意図である特定用途向けのホーム画面に切換え直す機会がなくなり、特定用途向けの操作環境を維持することができないという問題点を有していた。
【０００７】
本発明は、斯かる事情に鑑みてなされたものであり、特定用途向けの操作環境を維持することができる操作装置を提供することを目的とする。
【課題を解決するための手段】
【０００８】
本発明に係る操作装置は、複数の操作画面の夫々を表示可能になしてあり、任意の操作画面を表示している場合に特定操作を受付けたとき、前記操作画面から他の操作画面へ遷移させる操作装置において、操作画面を表示しない省電力状態から表示した操作画面より操作を受付ける動作状態への切替操作を受付ける受付手段と、前記切替操作を受付けた場合、予め設定した操作画面を表示する画面制御手段とを備えることを特徴とする。
【０００９】
本発明に係る操作装置は、各操作画面の表示履歴に係る履歴情報を記憶する記憶手段と、該記憶手段に記憶された履歴情報に基づき、前記複数の操作画面のうち一の操作画面を選択する選択手段とを備え、前記画面制御手段は、前記切替操作を受付けた場合、前記選択手段が選択した操作画面を表示するようにしてあることを特徴とする。
【００１０】
本発明に係る操作装置は、各操作画面の表示時間を積算する手段を備え、前記履歴情報として、各操作画面の表示時間の積算値を前記記憶手段に記憶するようにしてあり、前記選択手段は、各操作画面の表示時間の積算値の大小に基づき、前記複数の操作画面から一の操作画面を選択するようにしてあることを特徴とする。
【００１１】
本発明に係る操作装置は、各操作画面の表示回数を計数する手段を備え、前記履歴情報として、計数した各操作画面の表示回数を前記記憶手段に記憶するようにしてあり、前記選択手段は、各操作画面の表示回数の多少に基づき、前記複数の操作画面から一の操作画面を選択するようにしてあることを特徴とする。
【００１２】
本発明に係る操作装置は、各操作画面における操作頻度を計数する手段を備え、前記履歴情報として、計数した各操作画面における操作頻度を前記記憶手段に記憶するようにしてあり、前記選択手段は、各操作画面における操作頻度の多少に基づき、前記複数の操作画面から一の操作画面を選択するようにしてあることを特徴とする。
【００１３】
本発明に係る操作装置は、表示すべき操作画面を予め設定している場合であって、前記切替操作を受付けたとき、前記画面制御手段は、予め設定した操作画面を表示し、表示すべき操作画面を予め設定していない場合であって、前記切替操作を受付けたとき、前記画面制御手段は、前記選択手段が選択した操作画面を表示するようにしてあることを特徴とする。
【００１４】
本発明に係る操作装置は、１又は複数のアプリケーションプログラムを記憶する手段と、前記画面制御手段が操作画面を表示した後、所定のアプリケーションプログラムを起動する手段とを備えることを特徴とする。
【００１５】
本発明にあっては、操作画面を通じて任意のアプリケーションを利用している場合であっても、省電力状態からの復帰時には予め設定した操作画面が表示される。省電力状態からの復帰時に、特定用途向けの操作画面を表示することにより、特定用途向けの操作環境が維持される。
【００１６】
また、本発明にあっては、各操作画面の表示履歴に係る履歴情報が記憶され、その履歴情報に基づいて、省電力状態からの復帰時に表示すべき操作画面が選択される。
履歴情報として、表示時間の積算値を記憶し、表示時間の積算値が大きな操作画面を選択する構成とした場合、省電力状態から復帰した際に、ユーザがよく利用するホーム画面が直ぐに表示されるので、ユーザの利便性が向上する。逆に、表示時間の積算値が小さな操作画面を選択する構成とした場合、省電力状態から復帰した際に、あまり利用されていない操作画面が表示されるので、操作画面を提供している提供者間の不公平感が解消される。
【００１７】
また、履歴情報として、各操作画面の表示回数を記憶し、表示回数の多い操作画面を選択する構成とすることにより、例えば、省電力状態から復帰した際に、ユーザがよく利用するホーム画面が直ぐに表示されるので、ユーザの利便性が向上する。
【００１８】
また、履歴情報として、各操作画面での操作頻度を記憶し、操作頻度の多い操作画面を選択する構成とすることにより、例えば、省電力状態から復帰した際に、ユーザがよく利用するホーム画面が直ぐに表示されるので、ユーザの利便性が向上する。
【００１９】
また、本発明にあっては、省電力状態からの復帰時に表示すべき操作画面を設定する構成を備えるので、操作画面の切替えを可能としている場合であっても、省電力状態からの復帰時に表示すべき操作画面を必要に応じて固定化することができる。
【００２０】
また、本発明にあっては、省電力状態からの復帰時に選択された操作画面が表示されると共に、所定のアプリケーションが自動で起動されるので、操作画面の提供者が望むサービスを速やかに提供することができる。
【発明の効果】
【００２１】
本発明によれば、操作画面を通じて任意のアプリケーションを利用している場合であっても、省電力状態からの復帰時には予め設定した操作画面を表示する構成としているので、省電力状態からの復帰時に、特定用途向けの操作画面を表示することにより、特定用途向けの操作環境を維持することが可能となる。
【００２２】
本発明によれば、各操作画面の表示履歴に係る履歴情報を記憶し、その履歴情報に基づいて、省電力状態からの復帰時に表示すべき操作画面を選択する構成であるので、履歴情報として、例えば、表示時間の積算値を記憶し、表示時間の積算値が大きな操作画面を選択する場合、省電力状態から復帰した際に、ユーザがよく利用するホーム画面を直ぐに表示することができ、ユーザの利便性を向上させることができる。また、表示時間の積算値が小さな操作画面を選択する構成とした場合、省電力状態から復帰した際に、あまり利用されていない操作画面を表示することができるので、操作画面を提供している提供者間の不公平感を解消することができる。
【図面の簡単な説明】
【００２３】
【図１】本実施の形態に係るタブレット端末の外観を示す模式図である。
【図２】本実施の形態に係るタブレット端末のハードウェア構成を示すブロック図である。
【図３】タブレット端末が表示する操作画面の一例を示す模式図である。
【図４】ホーム画面の切替え例を示す模式図である。
【図５】サスペンド状態から復帰するときに表示するホーム画面の一例を示す模式図である。
【図６】サスペンド状態から復帰するときに表示するホーム画面の他の例を示す模式図である。
【図７】ホーム画面ＤＢの管理データの概略を説明する図である。
【図８】ホーム画面ＤＢの管理データの具体例を示す図である。
【図９】タブレット端末の動作時に実行する処理の手順を説明するフローチャートである。
【図１０】積算時間を記録するテーブルの一例を示す図である。
【図１１】タブレット端末がサスペンド状態から復帰する際に実行する処理の手順を説明するフローチャートである。
【図１２】サスペンド状態から復帰する際のタブレット端末の動作を説明する説明図である。
【図１３】ホーム画面ＤＢの管理データの具体例を示す図である。
【図１４】実施の形態２に係るタブレット端末がサスペンド状態から復帰する際に実行する処理の手順を説明するフローチャートである。
【図１５】サスペンド状態から復帰するときに表示するホーム画面の一例を示す模式図である。
【図１６】実施の形態３に係るタブレット端末がサスペンド状態から復帰する際に実行する処理の手順を説明するフローチャートである。
【発明を実施するための形態】
【００２４】
以下では、本発明に係る操作装置を所謂タブレット端末（スレートＰＣ）に適用した形態について、図面を用いて具体的に説明する。
実施の形態１．
図１は本実施の形態に係るタブレット端末の外観を示す模式図である。本実施の形態に係るタブレット端末１０は、薄板状の筐体を有し、筐体の一面にユーザに報知すべき情報を表示するためのディスプレイ１４、及びユーザの操作を受付けるタッチパネル１５を備える。また、筐体の上端面には電源ボタン１７が設けられ、下端面にはメモリカード２０を挿入するためのメモリカードスロット１６ａが設けられている。
【００２５】
タブレット端末１０は、後述するように各種アイコン、ピクトグラムを配置した操作画面をディスプレイ１４に表示する。タッチパネル１５は、透光性を有するパネルであり、ディスプレイ１４の前面に積層される。ディスプレイ１４により表示されるアイコンやピクトグラムに対応する領域がユーザの指又はスタイラスなどのペン３０によって押下操作された場合、ディスプレイ１４の前面に設けられたタッチパネル１５は、その押下操作の位置（接触位置）を検知する。タブレット端末１０は、タッチパネル１５が検知した接触位置に基づき、ユーザが行った操作を特定し、特定した操作に応じた処理を実行する。
【００２６】
タブレット端末１０が実行する処理には、アイコンにより表される各種アプリケーションプログラム（以下、アプリケーションという）を起動する処理、ソフトウェアボタンなどのＧＵＩパーツを配置したウィンドウやダイアログを表示する処理、表示したウィンドウやダイアログを通じて入力された文字データや選択結果を記憶する処理、入力された文字データや選択結果に基づく各種演算処理などが含まれる。
【００２７】
前述の操作画面は、端末全体の動作を制御するオペレーティングシステム（以下、ＯＳという）の機能として提供する画面であり、ディスプレイ１４の表示領域全体を１つの単位とした画面により構成される。操作画面は、例えば、ＯＳの提供元、端末の製造元などによって作成され、ＯＳが参照するデータとしてタブレット端末１０の記憶部１２（図２を参照）に予め格納される。操作画面は、必要に応じて複数用意される。また、ユーザの操作により操作画面を追加することも可能である。
タブレット端末１０が複数の操作画面を有する場合、ユーザは、所望のアプリケーション（アイコン）が配置されている操作画面をディスプレイ１４に表示させるために、操作画面を切替える操作を行う。既存のタブレット端末では、任意の操作画面を表示しているときに特定操作（例えば、ホームボタンの押下操作）を受付けた場合、予め定めた一の操作画面（ホーム画面）に遷移するように構成されている。本実施の形態では、端末がＯＳの機能として提供される操作画面のうち、特定操作によって遷移する遷移先の操作画面を他の操作画面と区別して「一般ホーム画面」と称する。
【００２８】
また、本実施の形態では、タブレット端末１０が表示する操作画面を通じて各種のサービスを提供する。タブレット端末１０が提供するサービスには、例えば、企業、小売店、飲食店、ショッピングセンター、宿泊施設、医療機関、教育機関、交通機関などが提供する情報を表示する情報提供サービスが含まれる。企業などの各サービス提供者は、タブレット端末１０においてサービス提供を行うための独自の操作画面を用意する。サービスが複数の操作画面により提供されるものであってもよい。この場合、一の操作画面から他の操作画面を呼び出すように構成すればよい。サービス提供者によって用意される操作画面は、例えば、メモリカード２０を利用してタブレット端末１０に追加される。
なお、操作画面を通じて情報を表示するだけでなく、操作画面にアプリケーションを配置しておき、操作画面を通じてアプリケーションを実行させるものであってもよい。
【００２９】
各サービス提供者によって提供される操作画面は、タブレット端末１０のＯＳが提供する操作画面と同様に、ホーム画面を含む。本実施の形態では、各サービス提供者が用意した操作画面のうち、サービス利用時に最初に表示する操作画面を各サービス提供者の「ホーム画面」と称する。
【００３０】
本実施の形態に係るタブレット端末１０は、ＯＳによって提供される一般ホーム画面と、各サービス提供者のホーム画面とを切替え可能になしてあり、各ホーム画面での利用状況を履歴情報として記憶する。そして、タブレット端末１０が、サスペンド状態（省電力状態）から通常の動作状態に復帰したとき、各ホーム画面の利用状況に応じて、表示すべきホーム画面を選択することを特徴の１つとしている。
【００３１】
図２は本実施の形態に係るタブレット端末のハードウェア構成を示すブロック図である。本実施の形態に係るタブレット端末１０は、制御部１１、記憶部１２、画面制御部１３、ディスプレイ１４、タッチパネル１５、メモリカードリーダ１６、電源ボタン１７、入力インタフェース１８、及びタイマ１９を備える。
【００３２】
制御部１１は、図に示していないＣＰＵ、ＲＡＭなどにより構成される。記憶部１２は、フラッシュメモリ、ＥＥＰＲＯＭ（Electrically Erasable and Programmable Read Only Memory）、ＳＳＤ（Solid State Drive）等のメモリ又はストレージデバイスである。記憶部１２には、前述したハードウェア各部の動作を制御するためのＯＳが予め格納される。制御部１１は、端末の電源投入時に記憶部１２内に格納されたＯＳを起動し、ハードウェア各部の動作を制御することにより、端末全体を本発明に係る操作装置として機能させる。
【００３３】
ディスプレイ１４は、前述したような操作画面を表示するための表示デバイスであり、液晶ディスプレイ、有機ＥＬディスプレイ等が用いられる。ディスプレイ１４に表示する操作画面は、制御部１１により制御される画面制御部１３によって選択される。画面制御部１３は、操作画面としてホーム画面を表示する場合には、記憶部１２内のホーム画面データベース（以下、ホーム画面ＤＢという）を参照して、表示すべきホーム画面を選択し、選択したホーム画面をディスプレイ１４に表示させる。
【００３４】
タッチパネル１５は、ユーザの操作を受付けるための入力デバイスであり、ディスプレイ１４の前面に設けられる。ユーザの指又はスタイラスなどのペン３０によって、ディスプレイ１４により表示されるアイコンやピクトグラムに対応する領域が押下操作された場合、タッチパネル１５は、その押下操作の位置（接触位置）を検知して、その接触位置に係る位置情報を入力インタフェース１８を通じて制御部１１に通知する。制御部１１は、タッチパネル１５から通知される位置情報を基に画面上で行われたユーザの操作を特定し、特定した操作に応じた処理を実行する。
【００３５】
メモリカードリーダ１６は、図１に示すメモリカードスロット１６ａに挿入されたメモリカード２０から、当該メモリカード２０に格納されたデータを読込む機能を備える。メモリカードリーダ１６がメモリカード２０から読込むデータには、上述したサービス提供者によって提供される操作画面が含まれる。
メモリカードリーダ１６が読込んだデータは、入力インタフェース１８を通じて制御部１１に出力され、必要に応じて記憶部１２に記憶される。
【００３６】
電源ボタン１７は、タブレット端末１０の電源（不図示）の入切操作、及びサスペンド状態と通常の動作状態との間の切替操作を受付ける操作部である。電源ボタン１７による電源の切操作、又はサスペンド状態と動作状態との間の切替操作を受付けた場合、その旨を示す信号を入力インタフェース１８を通じて制御部１１へ出力する。
【００３７】
タブレット端末１０は、電源が切断されている状態において、電源ボタン１７が長押操作（数秒間の押下操作）された場合、電源が投入され、サスペンド状態又は動作状態において、電源ボタン１７が長押操作された場合、電源が切断されるように構成されている。
タブレット端末１０は、ディスプレイ１４に何らかの画面が表示されている状態（すなわち、動作状態）において、電源ボタン１７が押下操作（数秒未満の押下操作）された場合、消費電力がより低い省電力状態であるサスペンド状態に移行するように構成されている。サスペンド状態では、ディスプレイ１４への表示を行わないようにすることにより、動作状態よりも消費電力が低い省電力状態を実現する。また、タブレット端末１０は、サスペンド状態において、電源ボタン１７が押下操作（数秒未満の押下操作）された場合、操作画面を表示する通常の動作状態に移行するように構成されている。以下の説明では、電源ボタン１７の押下操作は、サスペンド状態と動作状態との間の切替操作を表し、電源の入切操作を示す長押操作とは区別して記載するものとする。
【００３８】
タイマ１９は、制御部１１からの要求により計時を開始し、計時を開始してからの経過時間を計測する。タイマ１９は、計測した経過時間を制御部１１に通知する。
【００３９】
なお、前述したタブレット端末１０のハードウェア構成は、一例に過ぎず、前述のものに限定されるものではない。例えば、タッチパネル１５に代えて（又はタッチパネル１５に加え）、キーボード、ポインティングデバイスなどの入力デバイスを備えるものであってもよい。また、メモリカードリーダ１６に代えて（又はメモリカードリーダ１６に加え）、外部の通信装置やサーバ装置と通信を行うための通信インタフェースを備えるものであってもよい。
タブレット端末１０が通信インタフェースを備える場合、通信インタフェースを介して外部のサーバ装置と通信を行い、このサーバ装置からサーバ提供者によって用意された操作画面を取得する構成であってもよい。
【００４０】
図３はタブレット端末１０が表示する操作画面の一例を示す模式図である。図３は、操作画面の一例として、前述した一般ホーム画面を示したものである。操作画面（一般ホーム画面１００）は、主として、アプリケーションのアイコンを表示する表示エリア１０１と、この表示エリア１０１の下側に配置されるツールエリア１０２とにより構成される。図３に示した例では、「アラーム」、「カレンダー」、「計算機」などのアプリケーションに対応した１２個のアイコンが４行×３列の配列で表示エリア１０１に表示されている様子を示している。ツールエリア１０２は、操作画面の切替えに依らずに表示される表示領域であり、製品出荷時の設定では、例えば、「デバイス設定」、「電話」、「メール」、「ウェブブラウザ」等の各アプリケーションに対応したアイコンが配置される。
【００４１】
表示エリア１０１及びツールエリア１０２に表示されるアイコンは、ソフトウェアボタンとして構成される。タブレット端末１０は、アイコンに対応する表示領域がユーザの指又はペン３０により押下操作された場合、そのアイコンに対応するアプリケーションを起動するように構成されている。
【００４２】
また、ツールエリア１０２には、ホーム画面を切替えるためのホームボタン１０２ｈが配置される。ホームボタン１０２ｈは、アプリケーションのアイコンと同様にソフトウェアボタンにより構成される。ユーザの指又はペン３０によりホームボタン１０２ｈが押下操作された場合、タブレット端末１０は、ホーム画面を切替えを行う。
【００４３】
図４はホーム画面の切替え例を示す模式図である。図３に示すような一般ホーム画面１００の他に、例えば、Ａ社が提供するホーム画面１１０、Ｂ社が提供するホーム画面１２０、Ｃ社が提供するホーム画面１３０がタブレット端末１０に記憶されているものとする。
タブレット端末１０のディスプレイ１４にＡ社のホーム画面１１０を表示しているときに、ホームボタン１０２ｈが押下操作された場合、タブレット端末１０の画面制御部１３は、Ｂ社のホーム画面１２０を記憶部１２から読出し、ディスプレイ１４に表示させることでホーム画面の切替えを行う。
同様に、Ｂ社のホーム画面１２０、Ｃ社のホーム画面１３０をディスプレイ１４に表示しているときに、ホームボタン１０２ｈが押下操作された場合、画面制御部１３は、それぞれＣ社のホーム画面１３０、一般ホーム画面１００への切り替えを行う。また、一般ホーム画面１００をディスプレイ１４に表示しているときに、ホームボタン１０２ｈが押下操作された場合、画面制御部１３は、再度、Ａ社のホーム画面１１０を表示するようにしている。
【００４４】
なお、ホーム画面の切替え順序は任意に設定されるものであり、上述した順序に限定されるものではない。また、一般ホーム画面１００以外のホーム画面が追加されていない場合には、ホームボタン１０２ｈは既存のホームボタンとして機能し、他の操作画面がディスプレイ１４に表示されているときに、ホームボタン１０２ｈが押下操作された場合、一般ホーム画面１００に戻るように構成されている。
【００４５】
図５はサスペンド状態から復帰するときに表示するホーム画面の一例を示す模式図である。図５に示す例において、デフォルトのホーム画面としてＡ社のホーム画面１１０が設定されているものとする。任意の操作画面を表示している間に操作を受付けることなく設定時間（例えば、１分）が経過した場合、又は任意の操作画面を表示している間に電源ボタン１７が押下操作された場合、制御部１１は、タブレット端末１０をサスペンド状態へ移行させる。
サスペンド状態へ移行した後、電源ボタン１７が押下操作された場合、制御部１１は、サスペンド状態から動作状態への切替操作を受付けた旨の信号を入力インタフェース１８を通じて受信する。デフォルトのホーム画面が設定されている場合、制御部１１は、サスペンド状態からの復帰時に、デフォルトのホーム画面をディスプレイ１４に表示させる。
【００４６】
図６はサスペンド状態から復帰するときに表示するホーム画面の他の例を示す模式図である。図６に示す例では、デフォルトのホーム画面が設定されておらず、一般ホーム画面１００の他に、Ａ社のホーム画面１１０、Ｂ社のホーム画面１２０、Ｃ社のホーム画面１３０がタブレット端末１０に記憶されているものとする。任意の操作画面を表示している間に操作を受付けることなく設定時間（例えば、１分）が経過した場合、又は任意の操作画面を表示している間に電源ボタン１７押下操作された場合、制御部１１は、タブレット端末１０をサスペンド状態へ移行させる。
サスペンド状態へ移行した後、電源ボタン１７が押下操作された場合、制御部１１は、サスペンド状態から動作状態への切替操作を受付けた旨の信号を入力インタフェース１８を通じて受信する。デフォルトのホーム画面が設定されていない場合、制御部１１は、サスペンド状態からの復帰時に、タブレット端末１０に記憶されているホーム画面１１０〜１３０の何れか１つを選択的にディスプレイ１４に表示させる。表示させるホーム画面の選択手法については後に詳述することとするが、本実施の形態においては、各ホーム画面の表示時間を積算し、その積算値の大小に基づき表示すべきホーム画面を定める。
【００４７】
図７はホーム画面ＤＢの管理データの概略を説明する図であり、図８はホーム画面ＤＢの管理データの具体例を示す図である。ホーム画面ＤＢが利用する管理データは、例えば、ＸＭＬ（Extensible Markup Language）により記述される。
＜ｃｏｍｍｏｎ＞タグは、共通設定項目をまとめたタグであり、デフォルトのターゲット（ホーム画面）を示すＩＤ等が記述される。
＜ｔａｒｇｅｔ＞タグは、画面切替え対象のターゲットを表すタグである。＜ｔａｒｇｅｔ＞タグは、ホーム画面毎に用意され、それぞれのホーム画面にターゲットＩＤが夫々に付与される。ターゲットＩＤが「１」の＜ｔａｒｇｅｔ＞タグは、例えば、Ａ社のホーム画面１１０を切替対象とし、切替時に起動するアクティビティのパッケージ及びクラス名がそれぞれ「jp.a-company.renderer」及び「jp.a-company.renderer.RendererActivity」であることを示している。ターゲットＩＤが「２」及び「３」の＜ｔａｒｇｅｔ＞タグについても同様であり、それぞれＢ社のホーム画面１２０、Ｃ社のホーム画面１３０を切替対象とし、切替時に起動するアクティビティのパッケージ、クラス名等が記述されている。
【００４８】
ターゲットＩＤが「４」の＜ｔａｒｇｅｔ＞タグは、一般ホーム画面１００を切替対象とするタグを表す。この＜ｔａｒｇｅｔ＞タグの子要素として、サスペンド状態からの復帰時にデフォルトのホーム画面への遷移が必要な画面であるか否かを示す＜ｇｏｔｏ＿ｄｅｆａｕｌｔ＞タグが記述されている。図８に示した例では、＜ｇｏｔｏ＿ｄｅｆａｕｌｔ＞タグの設定値が「ｔｒｕｅ」であるため、一般ホーム画面１００は、サスペンド状態からの復帰時にデフォルトのホーム画面への遷移が必要な画面として定義されている。なお、デフォルトのホーム画面への遷移が不要である場合には、＜ｇｏｔｏ＿ｄｅｆａｕｌｔ＞タグが「ｆａｌｓｅ」に設定される。この場合、サスペンド状態からの復帰時には、後述するように各ホーム画面の表示時間の積算値に基づいて選択された一のホーム画面を表示する。
デフォルトのホーム画面は、＜ｃｏｍｍｏｎ＞タグの子要素である＜ｄｅｆａｕｌｔ＞タグにより定義される。図８に示した例では、＜ｄｅｆａｕｌｔ＞タグにターゲットＩＤが「１」であるため、ターゲットＩＤが「１」の画面であるＡ社のホーム画面１１０がデフォルトのホーム画面として定義されている。
【００４９】
また、管理データは、ホーム画面の切替順序をターゲットＩＤにより定めている。ターゲットＩＤが「ｎ」のホーム画面にてホームボタン１０２ｈの押下操作を受付けた場合、画面制御部１３は、ターゲットＩＤが「ｎ＋１」のホーム画面をディスプレイ１４に表示させることにより、ホーム画面の切替えを行う。また、現在表示中のホーム画面のターゲットＩＤが管理データで規定されている中で最大である場合には、このホーム画面上でホームボタン１０２ｈが押下操作されたとき、画面制御部１３は、ターゲットＩＤが最小のホーム画面をディスプレイ１４に表示させることにより、ホーム画面の切替えを行う。
【００５０】
図９はタブレット端末１０の動作時に実行する処理の手順を説明するフローチャートである。タブレット端末１０の電源が投入された場合、制御部１１は初期化を実行する（ステップＳ１１）。制御部１１は、図８に示すような管理データに基づいて初期化を実行し、全てのホーム画面の情報のインスタンス化、順序設定、１つ目のホーム画面の表示を行う。
【００５１】
次いで、制御部１１は、入力インタフェース１８を介して何らかの入力があったか否かを判断する（ステップＳ１２）。入力がない場合には（Ｓ１２：ＮＯ）、制御部１１は、入力があるまで待機する。
入力インタフェース１８を介して何らかの入力があった場合（Ｓ１２：ＹＥＳ）、制御部１１は、その入力がホームボタン１０２ｈの押下操作を示すものであるか否かを判断する（ステップＳ１３）。タッチパネル１５が出力する位置情報を入力インタフェース１８を介して受信し、かつその位置情報が操作画面上のホームボタン１０２ｈに対応する位置である場合、制御部１１は、ホームボタン１０２ｈの押下操作を受付けたと判断することができる。
【００５２】
入力がホームボタン１０２ｈの押下操作と判断した場合（Ｓ１３：ＹＥＳ）、制御部１１は、画面制御部１３を制御してホーム画面の表示を行う（ステップＳ１４）。このとき、画面制御部１３は、ホーム画面ＤＢの管理データを参照して次に表示すべきホーム画面を特定し、特定したホーム画面をディスプレイ１４に表示させる。
ホーム画面をディスプレイ１４に表示させた場合、制御部１１は、タイマ１９を作動させて、表示時間の計時を開始させる（ステップＳ１５）。
【００５３】
次いで、制御部１１は、そのホーム画面の表示が終了したか否かを判断する（ステップＳ１６）。表示しているホーム画面にて、アプリケーションの起動操作を受付け、当該アプリケーションを起動した場合、又は他の操作画面への切替操作を受付け、当該操作画面への切替えを行った場合、制御部１１は、ホーム画面の表示が終了したと判断することができる。ホーム画面の表示が終了していない場合（Ｓ１６：ＮＯ）、ホーム画面の表示が終了するまで表示時間の計時を継続する。
【００５４】
ホーム画面の表示が終了したと判断した場合（Ｓ１６：ＹＥＳ）、制御部１１は、タイマ１９を停止して、表示時間の計時を終了する（ステップＳ１７）。そして、制御部１１は、そのホーム画面の表示時間を積算し、表示時間の積算値（積算時間）を記録する（ステップＳ１８）。図１０は積算時間を記録するテーブルの一例を示す図である。このようなテーブルは記憶部１２に作成され、ホーム画面の表示時間を計時する都度、制御部１１によって更新される。制御部１１は、ホーム画面毎に表示時間を積算し、各ホーム画面の積算時間をテーブルに記録する。図１０に示した例では、Ａ社のホーム画面１１０、Ｂ社のホーム画面１２０、Ｃ社のホーム画面１３０の夫々について算出した積算時間が記録されている様子を示している。
なお、図１０に示した例では、各社のホーム画面について積算した表示時間をテーブルに記録しているが、一般ホーム画面１００についても表示時間を積算し、他のホーム画面の表示時間の積算値と併せてテーブルに記録する構成であってもよい。
【００５５】
次いで、制御部１１は、テーブルに記録されている積算時間に基づき、サスペンド状態からの復帰時に表示すべきホーム画面を選択する（ステップＳ１９）。
例えば、テーブルに積算時間が記録されている各ホーム画面のうち、積算時間が最も長いホーム画面を選択する構成とすることができる。この場合、サスペンド状態から復帰した際に、ユーザがよく利用するホーム画面が直ぐに表示されるので、ユーザに対する利便性が高まる。また、テーブルに積算時間が記録されている各ホーム画面のうち、積算時間が最も短いホーム画面を選択する構成としてもよい。この場合、サスペンド状態から復帰した際に、あまり利用されていないホーム画面が表示されるので、ホーム画面を提供しているサービス提供者間の不公平感が解消される。
【００５６】
サスペンド状態からの復帰時に表示すべきホーム画面を選択した場合、制御部１１は、処理をステップＳ１２へ戻す。
ステップＳ１３において、入力がホームボタン１０２ｈの押下操作でないと判断した場合（Ｓ１３：ＮＯ）、制御部１１は、入力が電源ボタン１７の押下操作であるか否かを判断する（ステップＳ２０）。動作状態において、電源ボタン１７の押下操作時に入力インタフェース１８を通じて出力される信号を受信した場合、制御部１１は、入力が電源ボタン１７の押下操作であると判断することができる。
【００５７】
入力が電源ボタン１７の押下操作と判断した場合（Ｓ２０：ＹＥＳ）、制御部１１は、サスペンド前処理を実行する（ステップＳ２１）。サスペンド前処理では、ステップＳ１９での選択結果及び現在の端末データを記憶部１２に退避させる。サスペンド前処理を実行した後、制御部１１は、サスペンド状態へ移行させる（ステップＳ２２）。
一方、ステップＳ２０において、入力が電源ボタン１７の押下操作でないと判断した場合（Ｓ２０：ＮＯ）、制御部１１は、アプリケーションの起動などの入力に応じた処理を実行し（ステップＳ２３）、処理をステップＳ１２へ移行させる。
【００５８】
図１１はタブレット端末１０がサスペンド状態から復帰する際に実行する処理の手順を説明するフローチャートである。制御部１１は、サスペンド状態においてタブレット端末１０の電源ボタン１７が押下操作されたか否かを判断する（ステップＳ３１）。押下操作されていない場合（Ｓ３１：ＮＯ）、制御部１１は、電源ボタン１７が押下操作されるまで待機する。
【００５９】
電源ボタン１７の押下操作時に入力インタフェース１８を通じて出力される信号を受信した場合、制御部１１は、電源ボタン１７が押下操作されたと判断する。サスペンド状態において電源ボタン１７が押下操作されたと判断した場合（Ｓ３１：ＹＥＳ）、制御部１１は、ホーム画面ＤＢの管理データを参照し、デフォルトのホーム画面をディスプレイ１４に表示させるか否かを判断する（ステップＳ３２）。
【００６０】
管理データの＜ｇｏｔｏ＿ｄｅｆａｕｌｔ＞タグの設定値が「ｔｒｕｅ」の場合、制御部１１は、サスペンド状態からの復帰時にデフォルトのホーム画面を表示させると判断する（Ｓ３２：ＹＥＳ）。このとき、制御部１１は、管理データの＜ｃｏｍｍｏｎ＞タグの欄を参照し、画面制御部１３を制御することにより、デフォルトとして設定されているターゲットＩＤのホーム画面をディスプレイ１４に表示させる（ステップＳ３３）。
【００６１】
管理データの＜ｇｏｔｏ＿ｄｅｆａｕｌｔ＞タグの設定値が「ｆａｌｓｅ」の場合、サスペンド状態からの復帰時にデフォルトのホーム画面を表示させないと判断する（Ｓ３２：ＮＯ）。このとき、制御部１１は、サスペンド前処理によって退避させたデータを参照し、画面制御部１３を制御することにより、図９のフローチャートにおけるステップＳ１９で選択されたホーム画面をディスプレイ１４に表示させる（ステップＳ３４）。これにより、積算した表示時間が最も長い（又は最も短い）ホーム画面がタブレット端末１０のディスプレイ１４に表示される。
【００６２】
以上のように、実施の形態１では、各ホーム画面の表示時間を積算しておき、サスペンド状態からの復帰時には、積算した表示時間に基づいて最初に表示すべきホーム画面を選択するようにしている。積算時間が最も長いホーム画面を選択する構成とした場合、サスペンド状態から復帰した際に、ユーザがよく利用するホーム画面が直ぐに表示されるので、ユーザの利便性を高めることができる。
逆に、積算時間が最も短いホーム画面を選択する構成とした場合、サスペンド状態から復帰した際に、あまり利用されていないホーム画面が表示されるので、ホーム画面を提供しているサービス提供者の間の不公平感を解消することができる。
【００６３】
なお、本実施の形態では、ホーム画面の表示時間を積算し、積算した表示時間に基づいて、サスペンド状態から復帰させるホーム画面を選択する構成としたが、積算した表示時間に限らず、ホーム画面の利用頻度等を表す履歴情報を用いることが可能である。このような履歴情報として、例えば、各ホーム画面の表示回数を利用することができる。制御部１１は、各ホーム画面の表示回数を計数しておき、各ホーム画面の表示回数の多少に基づいて、サスペンド状態から復帰させるホーム画面を選択する構成とすることができる。
また、履歴情報として、例えば、各ホーム画面における操作頻度を利用することができる。制御部１１は、各ホーム画面を表示している間の操作頻度を計数しておき、各ホーム画面の操作頻度の多少に基づいて、サスペンド状態から復帰させるホーム画面を選択する構成としてもよい。
【００６４】
実施の形態２．
実施の形態１では、サスペンド状態からの復帰時に表示させるべきホーム画面を選択する構成としたが、選択したホーム画面を表示した後に所定のアプリケーションを自動的に起動する構成としてもよい。
実施の形態２では、サスペンド状態からの復帰時において、選択したホーム画面を表示すると共に、自動的にアプリケーションを起動する構成について説明する。なお、タブレット端末１０のハードウェア構成は実施の形態１と全く同様であるため、その説明を省略することとする。
【００６５】
図１２はサスペンド状態から復帰する際のタブレット端末１０の動作を説明する説明図である。実施の形態１と同様に、任意の操作画面を表示している間に操作を受付けることなく設定時間（例えば、１分）が経過した場合、又は任意の操作画面を表示している間に電源ボタン１７が押下操作された場合、制御部１１は、タブレット端末１０をサスペンド状態へ移行させる。
また、サスペンド状態へ移行した後に、電源ボタン１７が押下操作された場合、制御部１１は、実施の形態１と同様の手順により、ホーム画面をディスプレイ１４に表示させ、サスペンド状態から動作状態に復帰させる。すなわち、デフォルトのホーム画面がホーム画面ＤＢの管理データにより設定されている場合には、サスペンド状態からの復帰時にデフォルトのホーム画面をディスプレイ１４に表示させ、設定されていない場合には、各ホーム画面の表示時間の積算値に基づいて選択したホーム画面をディスプレイ１４に表示させる。
【００６６】
実施の形態２では、サスペンド状態からの復帰時にホーム画面を表示させた後、所定時間経過後に、予め定めたアプリケーションの起動を行う。起動させるアプリケーション及び起動させるタイミングは、実施の形態１と同様、ホーム画面ＤＢの管理データの中に記述することができる。起動させるアプリケーション及びタイミングは、例えば、サービス提供者によって任意に設定される。
【００６７】
図１３はホーム画面ＤＢの管理データの具体例を示す図である。ホーム画面ＤＢが利用する管理データは、例えば、ＸＭＬにより記述される。図１３に示した例では、＜ｒｅｎｄｅｒｅｒ＞タグの子要素である＜ａｕｔｏ＿ｔｒａｎｓｉｔｉｏｎ＞の中で、起動させるアプリケーション及び起動させるタイミングが記述されており、起動するアプリケーションのパッケージ及びクラス名はそれぞれ「com.xplatform.calculator2」及び「com.xplatform.calculator2.Calculator」であり、起動するタイミングは「３０００ｍｓｅｃ」であることを示している。
なお、図１３に示した例では、起動させるアプリケーション及び起動させるタイミングを指定するために必要な記述について示したが、管理データには、図８に示すように、各ホーム画面についての記述が含まれるものであってもよい。
【００６８】
図１４は実施の形態２に係るタブレット端末１０がサスペンド状態から復帰する際に実行する処理の手順を説明するフローチャートである。制御部１１は、サスペンド状態においてタブレット端末１０の電源ボタン１７が押下操作されたか否かを判断する（ステップＳ４１）。押下操作されていない場合（Ｓ４１：ＮＯ）、制御部１１は、電源ボタン１７が押下操作されるまで待機する。
【００６９】
電源ボタン１７の押下操作時に入力インタフェース１８を通じて出力される信号を受信した場合、制御部１１は、電源ボタン１７が押下操作されたと判断する。サスペンド状態において電源ボタン１７が押下操作されたと判断した場合（Ｓ４１：ＹＥＳ）、制御部１１は、ホーム画面ＤＢの管理データを参照し、デフォルトのホーム画面をディスプレイ１４に表示させるか否かを判断する（ステップＳ４２）。
【００７０】
管理データの＜ｇｏｔｏ＿ｄｅｆａｕｌｔ＞タグの設定値が「ｔｒｕｅ」の場合、制御部１１は、サスペンド状態からの復帰時にデフォルトのホーム画面を表示させると判断する（Ｓ４２：ＹＥＳ）。このとき、制御部１１は、管理データの＜ｃｏｍｍｏｎ＞タグの欄を参照し、画面制御部１３を制御することにより、デフォルトとして設定されているターゲットＩＤのホーム画面をディスプレイ１４に表示させる（ステップＳ４３）。
【００７１】
管理データの＜ｇｏｔｏ＿ｄｅｆａｕｌｔ＞タグの設定値が「ｆａｌｓｅ」の場合、サスペンド状態からの復帰時にデフォルトのホーム画面を表示させないと判断する（Ｓ４２：ＮＯ）。このとき、制御部１１は、サスペンド前処理によって退避させたデータを参照し、画面制御部１３を制御することにより、図９のフローチャートにおけるステップＳ１９で選択されたホーム画面をディスプレイ１４に表示させる（ステップＳ４４）。これにより、例えば、積算した表示時間が最も長い（又は最も短い）ホーム画面がタブレット端末１０のディスプレイ１４に表示される。
【００７２】
ステップＳ４３でデフォルトのホーム画面を表示した場合、又はステップＳ４４で選択したホーム画面を表示した場合、制御部１１は、タイマ１９を作動させて、表示時間の計時を開始させる（ステップＳ４５）。
【００７３】
制御部１１はタイマ１９の出力を参照し、計時を開始してから所定時間が経過したか否かを判断する（ステップＳ４６）。所定時間が経過していない場合（Ｓ４６：ＮＯ）、制御部１１は所定時間が経過するまで待機する。
一方、計時を開始してから所定時間が経過した場合（Ｓ４６：ＹＥＳ）、制御部１１は、ホーム画面ＤＢの管理データを参照し、管理データに記述されているアプリケーションを起動させる（ステップＳ４７）。
【００７４】
以上のように、実施の形態２では、サスペンド状態から復帰時にサービス提供者によって提供されたホーム画面を表示すると共に、そのサービス提供者が指定するアプリケーションを自動的に起動する構成としている。これにより、タブレット端末１０にて起動するアプリケーションを通じてサービス提供者が望むサービスを速やかに提供することができる。
【００７５】
実施の形態３．
実施の形態１では、サスペンド状態からの復帰時に表示させるべきホーム画面を選択する構成としたが、ユーザ、サービス提供者等がホーム画面を予め設定しておき、サスペンド状態からの復帰時には予め設定されたホーム画面を表示する構成としてもよい。
実施の形態３では、サスペンド状態からの復帰時において、予め指定されたホーム画面を表示する構成について説明する。なお、タブレット端末１０のハードウェア構成は実施の形態１と全く同様であるため、その説明を省略することとする。
【００７６】
図１５はサスペンド状態から復帰するときに表示するホーム画面の一例を示す模式図である。実施の形態３に係るタブレット端末１０には、実施の形態１と同様、一般ホーム画面１００の他に、Ａ社のホーム画面１１０、Ｂ社のホーム画面１２０、Ｃ社のホーム画面１３０が記憶されており、Ａ社のホーム画面１１０がサスペンド状態からの復帰時に表示させるべきホーム画面として設定されているものとする。
なお、サスペンド状態からの復帰時に表示させるべきホーム画面は、実施の形態１と同様に、ホーム画面の管理データによって設定されるものとする。
【００７７】
図１５に示す例において、例えば、Ｂ社のホーム画面１２０を表示している間に操作を受付けることなく設定時間（例えば、１分）が経過した場合、又は任意の操作画面を表示している間に電源ボタン１７押下操作された場合、制御部１１は、タブレット端末１０をサスペンド状態へ移行させる。
サスペンド状態へ移行した後、電源ボタン１７が押下操作された場合、制御部１１は、サスペンド状態から動作状態への切替操作を受付けた旨の信号を入力インタフェース１８を通じて受信する。本実施の形態では、サスペンド状態からの復帰時に表示させるべきホーム画面としてＡ社のホーム画面１１０が設定されているので、制御部１１は、サスペンド状態からの復帰時に、画面制御部１３を制御してＡ社のホーム画面１１０をディスプレイ１４に表示させる。
【００７８】
図１６は実施の形態３に係るタブレット端末１０がサスペンド状態から復帰する際に実行する処理の手順を説明するフローチャートである。制御部１１は、サスペンド状態においてタブレット端末１０の電源ボタン１７が押下操作されたか否かを判断する（ステップＳ５１）。押下操作されていない場合（Ｓ５１：ＮＯ）、制御部１１は、電源ボタン１７が押下操作されるまで待機する。
【００７９】
電源ボタン１７の押下操作時に入力インタフェース１８を通じて出力される信号を受信した場合、制御部１１は、電源ボタン１７が押下操作されたと判断する。サスペンド状態において電源ボタン１７が押下操作されたと判断した場合（Ｓ５１：ＹＥＳ）、制御部１１は、ホーム画面ＤＢの管理データを参照し、サスペンド状態からの復帰時に表示させるべきホーム画面として設定されているホーム画面をディスプレイ１４に表示させる（ステップＳ５２）。
【００８０】
実施の形態３では、サスペンド状態からの復帰時に予め設定されたホーム画面が表示されるので、特定用途向けの操作環境を維持することが容易となる。
【００８１】
なお、実施の形態１〜３では、本発明に係る操作装置をタブレット端末１０に適用した形態について説明したが、タブレット端末１０だけでなく、スマートフォンを含む携帯型電話機、パーソナルコンピュータ、及びユーザインタフェースを有する様々な電子機器に適用可能であることは勿論のことである。
【００８２】
また、実施の形態１〜３では、ホーム画面の切替えを行うホームボタン１０２ｈをソフトウェアボタンとして操作画面上に配置する構成としたが、独立したハードウェアボタンとしてタブレット端末１０の筐体に設ける構成であってもよい。
【００８３】
また、実施の形態１〜３では、サスペンド状態において電源ボタン１７が押下操作された場合、操作画面であるホーム画面を表示する構成としたが、サスペンド状態において、電源ボタン１７が押下操作された場合、パスワード入力などのロック解除操作を受付ける構成であってもよい。この場合、サスペンド状態において電源ボタン１７が押下操作された場合、ロック解除操作を受付けるための画面を表示し、この画面にてロック解除操作を受付けたとき、実施の形態１及び２で説明した手順に従ってホーム画面を表示すればよい。
【符号の説明】
【００８４】
１０  タブレット端末
１１  制御部
１２  記憶部
１３  画面制御部
１４  ディスプレイ
１５  タッチパネル
１６  メモリカードリーダ
１７  電源ボタン
１８  入力インタフェース
１９  タイマ
【図１】
2013186810.tif 000003
【図２】
2013186810.tif 000004
【図３】
2013186810.tif 000005
【図４】
2013186810.tif 000006
【図５】
2013186810.tif 000007
【図６】
2013186810.tif 000008
【図７】
2013186810.tif 000009
【図８】
2013186810.tif 000010
【図９】
2013186810.tif 000011
【図１０】
2013186810.tif 000012
【図１１】
2013186810.tif 000013
【図１２】
2013186810.tif 000014
【図１３】
2013186810.tif 000015
【図１４】
2013186810.tif 000016
【図１５】
2013186810.tif 000017
【図１６】
2013186810.tif 000018